(57)【要約】【課題】ボトルなどの開蓋又は閉蓋は以外と力を要するものであるが老人や婦女子でも力を要せず容易に蓋の開閉が可能とする。【解決手段】締め付け部、該締め付け部を支持する支持部、該支持部を備える基部を備えるものにおいて、該締め付け部は、ほぼ渦巻き状となっており、回動によって、前記支持部に向かって該締め付け部を入り込ませて締め付けることで容易に開蓋することができるボトル開閉具を提供する。又、ボトル開閉具を反対にして反対に回動させる事で、閉蓋も簡単に行うことができる。【選択図】        図１
2005255187.tif 000002
【特許請求の範囲】
【請求項１】
締め付け部、該締め付け部を支持する支持部、該支持部を備える基部を設けるものにおいて、該締め付け部は、ほぼ渦巻き状となっており、回動によって、蓋又は栓等を前記支持部に向かって巻き込み締め付けることで開蓋又は閉蓋することを特徴とするボトル開閉具
【請求項２】
前記締め付け部の部材は粘着性の弾性材からなる請求項１記載のボトル開閉具
【請求項３】
前記締め付け部を取付ける支持部の根元側の一部をスチール製とする請求項１又は２記載のボトル開閉具
【発明の詳細な説明】
【技術分野】
【０００１】
本発明は、市販のボトルやジャムやバターの瓶、特に、ボトルの蓋の開蓋又は閉蓋を図るボトル開閉具に関するものである。
【背景技術】
【０００２】
現在市販されている主にプラスチック製のボトルは、ジュースやお茶等の飲料を入れるものとして多くが存在し、ガラス製のボトルを駆逐する勢いである。その栓の開口は、手で回転させて行われている。特に、プラスチック・ボトル７は、その蓋８はボトルの本体に固定されている部分から、回転力によりねじ切ることで蓋８を開口するものであるから、意外に力を要するものである。そして、子供や、更には老人の人口の増加に伴い、その蓋の開口にも、困難を来たしており問題があった。
【０００３】
又、プラスチック製のボトルの他、ジャムや蜂密の瓶容器の開蓋もかなりの開蓋力を要するために、老人や婦女子にとっては、かなりの困難を伴っていた。
【０００４】
又従来瓶の開口には蓋抜きがあったが、ボトルの開蓋具としては、従来技術がなく、手でよる以外に道具や方法がなかったので、特に一人住まいの老人には、悩みの種であった。先行技術としては、老人や婦女子用としては、蓋に直接被せて梃子の原理で回して開蓋するものもあるが、栓や蓋の直径が変わると使用できない問題点があり、直径の同じの一種類のボトルや瓶にしか適用できないきらいがあった。
【０００５】
更に、老人や婦女子にとって、開蓋に要する力もさりながら、ボトルや瓶で密封を必要とする場合閉蓋にも力を要するものであるが、しかしながら閉蓋に対しても同様力を要し又そのような利便な道具も今までなかった。
【特許文献１】特開２００２−３７３８７号公報
【発明の開示】
【発明が解決しようとする課題】
【０００６】
本発明において解決しようとする問題点は、ボトルの栓を容易に開蓋又閉蓋作用することのできる、その双方が一つの道具によって可能とする道具を提供することであり、又蓋等の直径が変わっても適用できる範囲が広いそのボトル開閉具を得ることである。
【課題を解決するための手段】
【０００７】
上記問題点を解決するために、本発明は、締め付け部、該締め付け部を支持する支持部、該支持部を備える基部を設けるものにおいて、該締め付け部は、渦巻き状となっており、回動によって、前記支持部に向かって巻き付け締め付けることで開蓋又は閉蓋するボトル開閉具を提供する。
【０００８】
更に前記締め付け部の部材は粘着性の弾性材として、回動に当たり、滑りをなくしてしっかりと固定することが可能とし、開閉力を余り要せず容易に開閉できるものとする。
【０００９】
前記締め付け部の根元側の一部をスチール製とすることで、構造を強化し耐久せいのあるボトル開閉具を提供する。
【発明の効果】
【００１０】
本発明のボトル開閉具は、従来存在しなかったボトルの栓や蓋の開閉具であって、一つの道具によって、ボトルや瓶のような栓や蓋を容易に開蓋又は閉蓋するときの道具を提供することができた。この開閉具は丁度スパナやレンチのような作用を奏するので、力は要らず、特に子供や老人でも、容易に開蓋又は閉蓋することができるようになった。又締め付け部はその対象とする蓋等の直径に対して許容される範囲が広いので多種の直径の異なるボトルや瓶に対して使用することが可能である。
又、開閉の機能は、ひっくり返すことで簡単にできるので、誰にでも使用することが可能である。
【発明を実施するための最良の形態】
【００１１】
本発明は、老人や婦女子等にも容易にボトルの栓や蓋を容易に開口することができるボトル開閉具を実現した。
【実施例１】
【００１２】
図１に示すものは、本発明の１実施例であるボトル開閉具１によって、ボトル７の蓋を開いている状況を示す。
図２は、ボトル開閉具１のより詳細な１実施例の平面図及び側面図であって、ボトル開閉具１は、手で握る部分の基部４の上端には、ほぼ環状に延出する渦巻き状の締め付け部３が基部４の支持部２が設けられており、該締め付け部３の先端は、支持部２内へ入り込んでいる。それは、ボトルの蓋又は栓等に巻き付けたときに、支持部２に対して、締め付け部３が支持部２内へ蓋又は栓等を巻き込み易くするためである。
従って、支持部２の形状は、締め付け部３の渦巻状かほぼ渦巻状の形状に対して包み込むような形状とするのが好ましい。従って、その支持部２の形状部２１は、対応して巻き込み易い円弧状か該形状に近いものが望ましい。
【００１３】
締め付け部３は、ベルト状部３０になっており、ボトル７の栓に巻き付くことになるが、巻き付きやすくなる為に、その材料は、ゴム系や樹脂系などの粘着力を有し、粘り付きやすいものが好ましい。
この材質を適用すると実験の結果では、開栓しやすいミネラルウォータのボトルだけでなく、開蓋力を強く必要とするジャムやバターの瓶でも巻きつき易く又開蓋力も粘着性の材質であれば強く力が掛かるので開蓋がより容易となるのが分かった。
【００１４】
特に、市販のボトル７には、通常その蓋８の周囲には、回動し易いように、図１に示すように、ギザギザの部分８０が設けられているが、このような場合は、締め付け部３が密着する面積が少なくなるので、粘着力のある材質による部材で締め付け部３を形成することは好ましいのがわかる。
【００１５】
又締め付け部３を取付ける支持部２の根元部には、ベルト状のスチール材等の強度のある部材３１を設けることもできる。この場合には、全体が粘着力のある締め付け部３だけに比べて耐久性の強化を図ることができる。
しかも、部材３１は、例えば、口径の小さい瓶の蓋を開蓋するときに、ベルト状の部材３１の先端が、巻き込まれてその先端３００が部材３１側の部分に接触する。すると、先端３００は、瓶を迅速に締め易くする為に、部材３１側で滑り易くしておくことが好ましい。粘着性のある部材同士であると滑りが悪くなるので、そこで、接触する部分をスチール材等の部材３１とすることがよいのである。
この場合には、粘着性のある部材３１は、スチール材等の部材３１に対して、接触しても滑りがよくなるので、スムースに締め付けが容易に行われ巻き込み易くする。又締め付け部３は、蓋や栓の直径が変わっても、締め付けに当たり許容できる範囲内があるので、直径の異なる蓋等に対しても、その使用範囲が余り限定されない。
【００１６】
又、支持部２には、歯部２０が設けられており、締め付け部３が回動する場合に、滑りを防止し、締め付け力を増す作用があるが、締め付け部３だけでも十分であれば設ける必要もない。又、歯部２０の傾きは、基部４が回動する方向と反対方向に傾斜させておけば、例え、締め付けの回動時に、締め付け部３が逆に戻ろうとしても、歯部２０が回動に逆らうように傾斜しているので、これを防止する機能を有する。
【実施例２】
【００１７】
図３に示すものは、他の実施例であって、前記実施例が、基部４の回動によって、開蓋するのに対し、本実施例は、ボトルの下端側を押さえることで、蓋を逆に回動させて開けるものである。
図４に示すように、基本的構造は、図２に示すものと変わりはない。
締め付け部３が、基部４に取付けられており、且つ又締め付け部３の先端が、支持部２内へ入り込んでいる点も同様である。
【００１８】
図４に示すように、しかし、机などで開蓋する場合は、机の縁で行うことが好ましいので、基部４の縁に机の縁に沿うように固定部４０が設けると固定しやすいのがわかる。
この使用の状態は、図１又は図５に示すようになる。即ち、基部４を矢印Ａ，Ｂ方向から指で押さえて、ボトル７を基部４へ挿入して、しっかりと矢印ａ方向へ回して回動しないように固定させ、次いでボトル７の蓋８を矢印ｂ方向へ回して開蓋させるものである。
これは、丁度先の実施例とは逆になり、前記の実施例が、ボトルオープナー１によって開蓋するのに対し、本実施例は、ボトル７自身を固定させて蓋の方を回して開蓋するものである。
【００１９】
又、本発明の他の実施例としては、図１に示すような適用例も考えられる。
即ち、ボトル７の上方と下方にはボトル開閉具１を各々図に示すようにして、開蓋するもので、下方でボトルをしっかり固定し、上方でボトル開閉具１を回動すれば、更に、力を要せずに更に容易に蓋を回すことが可能となり、このような使い方も考えられる。
【００２０】
以上から、次にボトル開閉具1を使用する状況を以下に説明する。
【００２１】
図１の状態は、開栓する時の位置で、ボトル７の蓋８にボトル開閉具１を挿入する。  次に、蓋８に入った状態で、把持部４を図２に示すように、矢印Ｌで示す反時計方向に回すと、まず、締め付け部３がボトル７の蓋８を包み込むようにして締め付け係合していく。そして、支持部２に設けられた歯部２０へ締め付け部３順次係合していく。そして、更に基部４を回動させると、蓋を順次締め付けるように回動していき、しっかりと蓋８を固持し回動力を伝えるので、蓋が容易に開くことになる。
【００２２】
特に、ボトルがポロエチレン材などプラスチックのときは、蓋８を捻じ切ることになるので蓋を根元から外して開口することができる。これは、丁度スパナやレンチのような作用をすることで、力が要らないで開蓋ができることになる。
【００２３】
次に開蓋後、再び蓋をするときについて説明する。閉蓋は、図２に示す場合において、ボトル開閉具１を反対側にする。次いで、その位置で、蓋８上に締め付け部３が嵌るように被せる。即ち、蓋の開蓋方向は、時計と反対方向であり、閉蓋の方向は時計と同じ方向であるから、開閉具１をその都度裏表にして回動方向を時計又は反時計方向にするのである。
【００２４】
即ち、開蓋とは、逆に、時計方向に基部４を回動させる。すると、蓋８を順次巻き込んで締め付けて係合していき、蓋８を絞めて固持し、そのまま回動を続けていくと、閉蓋されていくことになる。
このように、一つの開閉具で、開蓋と閉蓋の二つの機能を有することになる。
【００２５】
図３又は図４に示す実施例でも同じように、開蓋作用は、基部４を指で該基部４の両端部を、図５に示すようにＡ，Ｂで押さえて、ボトル７の方を回して固定する。図では、反時計方向であるが、次いでボトル７が固定されると、蓋８を手で、反時計方向に回して開蓋することになる。この場合、ボトル７の固定の回転方向と、開蓋の回転方向が同じく反時計方向であるので、開蓋はスムースに行くのが理解されるであろう。
【００２６】
いずれにしても、本発明のボトル開閉具は、基部４を回すか又は押さえて蓋を回すかで、相対的なものであり、いずれにしても従来にない蓋の開閉具を提供することができたが、上記実施例に限定されることなく、様々な変形例が当業者によって実施可能であるのは勿論である。
【図面の簡単な説明】
【００２７】
【図１】本発明の実施例であるボトル開閉具をボトルに取付けた状態の斜視図である（開栓時）。
【図２】本発明の１実施例であるボトル開閉具の詳細な平面図及び側面図である（閉栓時）
【図３】本発明の他の実施例であるボトル開閉具の平面図である。
【図４】本発明の上記実施例であるボトル開閉具の斜視図である。
【図５】本発明の上記実施例であるボトル開閉具をボトルへ取付けた斜視図である。
【符号の説明】
【００２８】
１    ボトル開閉具
２    支持部
３    締め付け部
３０  ベルト状部
４    基部
７    ボトル
８    蓋
８０  ギザギザの部分
【図１】
2005255187.tif 000003
【図２】
2005255187.tif 000004
【図３】
2005255187.tif 000005
【図４】
2005255187.tif 000006
【図５】
2005255187.tif 000007